(57)【要約】通信方式におけるマルチユーザ検出可能な無線基地局の中の干渉軽減の方法で、無線基地局は１セットの限定的（ｃｏｎｆｉｎｅｄ）検出モジュール（１１、１２、１３、２１、２２、２３）を含み、その内の少なくとも１つは複数のユーザ接続を扱うことが可能であり、検出モジュールの第１のサブセット（１０）および、少なくとも第２のサブセット（２０）が前記セットから生成され、第２のセットは少なくとも１つの干渉軽減可能な検出モジュール（２１）を含む。第１のサブセットからの干渉情報は第２のサブセットに伝えられ、第１のサブセットのユーザ接続の中で生ずる干渉は、第２のサブセットのユーザ接続から軽減される。次に、干渉は、干渉軽減可能な検出モジュールの中の接続間で相互に軽減される。
2010506430.tif 000002
【特許請求の範囲】
【請求項１】
通信方式におけるマルチユーザ検出可能な無線基地局の中の干渉軽減の方法であって、前記無線基地局は１セットの限定的（ｃｏｎｆｉｎｅｄ）検出モジュールを含み、少なくともそれら限定的検出モジュールの内の１つは複数のユーザ接続を扱うことが可能であり、
前記方法は、
検出モジュールの第１のサブセット（１０）を前記セットから形成するステップと、
検出モジュールの少なくとも第２のサブセット（２０）を前記セットから形成するステップであって、前記第２のセットは、少なくとも１つの干渉軽減可能な検出モジュール（２１）を含むステップと、
前記第１のサブセット（１０）のそれぞれのユーザ接続に関する干渉情報を、前記第１のサブセットから前記第２のサブセット（２０）に伝えるステップと、
前記第１のサブセット（１０）の前記ユーザ接続の中で生ずる干渉を、前記第２のサブセット（２０）のユーザ接続から軽減するステップと、
前記少なくとも１つの干渉キャンセル可能な検出モジュールの中で、接続間または接続のサブセットの間の干渉を相互に軽減するステップと
を有することを特徴とする方法。
【請求項２】
前記干渉軽減は、干渉キャンセルを含むことを特徴とする請求項１に記載の方法。
【請求項３】
前記干渉軽減は、サブセット結合（ｊｏｉｎｔ）マルチユーザ検出を含むことを特徴とする請求項１に記載の方法。
【請求項４】
前記干渉軽減は、種々の限定的検出ユニットの中に、または１つの限定的検出ユニットの中に、干渉キャンセル、および、サブセット結合マルチユーザ検出、または、それらの組み合わせを含むことを特徴とする請求項１に記載の方法。
【請求項５】
前記干渉情報は、前記第１のサブセットの接続の中で生ずる再生信号の表現を含むことを特徴とする請求項１乃至請求項４のいずれか一項に記載の方法。
【請求項６】
前記第１のサブセットは、少なくとも１つの限定的検出モジュールを含むことを特徴とする請求項１乃至請求項５のいずれか一項に記載の方法。
【請求項７】
前記第１のサブセットは、複数の限定的検出モジュールを含むことを特徴とする請求項１乃至請求項５のいずれか一項に記載の方法。
【請求項８】
前記第１のサブセットは、少なくとも１つの干渉軽減可能な限定的検出モジュールを含むことを特徴とする請求項１乃至請求項７のいずれか一項に記載の方法。
【請求項９】
前記第２のサブセットは、ただ１つの限定的検出モジュールを含むことを特徴とする請求項１乃至請求項８のいずれか一項に記載の方法。
【請求項１０】
前記第２のサブセットは、複数の限定的検出モジュールを含むことを特徴とする請求項１乃至請求項８のいずれか一項に記載の方法。
【請求項１１】
前記複数の検出モジュールは、複数の干渉軽減可能な検出モジュールを含むことを特徴とする請求項１０に記載の方法。
【請求項１２】
検出モジュールの前記セットは、それぞれが異なった数のユーザ接続を扱うことができる複数の検出モジュールを含むことを特徴とする請求項１乃至請求項１１のいずれか一項に記載の方法。
【請求項１３】
検出モジュールの前記セットは、互いに分離し、かつ前記第１のサブセットおよび前記少なくとも第２のサブセットから分離した限定的検出モジュールを含む、検出モジュールの少なくとも第３のサブセットを含むことを特徴とする請求項１乃至請求項１２のいずれか一項に記載の方法。
【請求項１４】
前記少なくとも第３のサブセットは、少なくとも１つの干渉軽減可能な検出モジュールを含むことを特徴とする請求項１３に記載の方法。
【請求項１５】
干渉情報を伝える前記ステップはさらに、
前記第１のサブセットの少なくとも１つの検出モジュールから１セットのユーザ接続を選択するステップと、
それぞれの干渉情報を前記第２のサブセットに伝えるステップと
を含むことを特徴とする請求項１乃至請求項１４のいずれか一項に記載の方法。
【請求項１６】
前記第１のサブセットのそれぞれの検出モジュールからユーザ接続の前記セットを選択するステップを特徴とする請求項１５に記載の方法。
【請求項１７】
ユーザ接続の前記セットは、全アップリンク負荷に対して大きな影響を持つユーザ接続を含むことを特徴とする請求項１５または請求項１６に記載の方法。
【請求項１８】
ユーザ接続の前記セットは、高い優先度を持つユーザ接続を含むことを特徴とする請求項１５乃至請求項１７のいずれか一項に記載の方法。
【請求項１９】
検出モジュールの前記セットにユーザ接続を、サービスに基づいて割り当てるステップを特徴とする請求項１乃至請求項１８のいずれか一項に記載の方法。
【請求項２０】
良好なカバレッジを保証するために、ソフトハンドオーバのユーザを、前記第２のサブセットの干渉軽減可能な検出モジュールに割り当てるステップを特徴とする請求項１９に記載の方法。
【請求項２１】
同じサービスのユーザを同じ検出モジュールに割り当てるステップを特徴とする請求項１９に記載の方法。
【請求項２２】
前記検出モジュールの負荷を平準化するために同じサービスのユーザを異なる検出モジュールに割り当てるステップを特徴とする請求項１９に記載の方法。
【請求項２３】
全てのＥ−ＤＣＨユーザ接続を干渉軽減可能な検出モジュールに割り当てるステップを特徴とする請求項１９に記載の方法。
【請求項２４】
高い負荷の場合に対する容量を提供するために、それぞれの接続に対するベータファクタを設定し、
前記ベータファクタは、データレートに依存するＥ−ＤＣＨチャネルの電力オフセット値を含むことを特徴とする請求項２３に記載の方法。
【請求項２５】
前記通信システムは、ＷＣＤＭＡ、ＣＤＭＡ、ＣＤＭＡ２０００、ＯＦＤＭ、ＴＤＭＡ、ＦＤＭＡ、３ＧＰＰＴＤＤ、３ＧＰＰＦＤＤの内の１つまたはそれらの組み合わせを含むことを特徴とする請求項１乃至請求項２４のいずれか一項に記載の方法。
【請求項２６】
１セットの限定的検出モジュールを含む無線基地局であって、前記検出モジュールの少なくとも１つは複数のユーザ接続を扱うことができ、
前記無線基地局は、
検出モジュールの第１のサブセット（４０）と、
干渉軽減可能な少なくとも１つの検出モジュールを含む、検出モジュールの少なくとも第２のサブセット（５０）と
を備え、
検出モジュールの前記第１のサブセット（４０）は、そのそれぞれのユーザ接続に関する干渉情報を前記第２のサブセット（５０）に伝え、
前記少なくとも１つの干渉軽減可能な検出モジュールは、前記第１のサブセットのユーザ接続の中で生ずる干渉を、前記第２のサブセットのユーザ接続から軽減し、
前記少なくとも１つの干渉軽減可能な検出モジュールは、前記少なくとも１つの干渉軽減可能な検出モジュールの中の、接続間の干渉または接続のサブセットの干渉を相互に軽減することを特徴とする無線基地局。
【請求項２７】
前記干渉軽減は、干渉キャンセルを含むことを特徴とする請求項２６に記載の無線基地局。
【請求項２８】
前記干渉軽減は、サブセット結合マルチユーザ検出を含むことを特徴とする請求項２６に記載の無線基地局。
【請求項２９】
前記干渉軽減は、種々の限定的検出ユニットの中に、または１つの限定的検出ユニットの中に、干渉キャンセル、および、サブセット結合マルチユーザ検出、または、それらの組み合わせを含むことを特徴とする請求項２６に記載の無線基地局。
【請求項３０】
検出モジュールの前記第１のサブセット（４０）は、それらのユーザ接続情報の少なくとも一部を、前記検出モジュールの前記少なくとも第２のサブセット（５０）に送ることを特徴とする請求項２６乃至請求項２９のいずれか一項に記載の無線基地局。
【請求項３１】
前記第１のサブセット（４０）は、そのユーザ接続の選択されたセットに対するユーザ接続情報を、前記少なくとも第２のサブセット（５０）に送ることを特徴とする請求項２６乃至請求項２９のいずれか一項に記載の無線基地局。
【請求項３２】
ユーザ接続をそれぞれの前記検出モジュールに割り当てるための手段（６０）を特徴とする請求項２６乃至請求項３１のいずれか一項に記載の無線基地局。
【請求項３３】
前記割り当て手段（６０）は、ユーザ接続を、それらのサービスに基づいて割り当てることを特徴とする請求項３２に記載の無線基地局。
【請求項３４】
前記割り当て手段（６０）は、同じサービスのユーザを、同じ検出モジュールに割り当てることを特徴とする請求項３３に記載の無線基地局。
【請求項３５】
前記割り当て手段（６０）は、前記検出モジュールの負荷を平準化するために、同じサービスのユーザを、異なる検出モジュールに割り当てることを特徴とする請求項３３に記載の無線基地局。
【発明の詳細な説明】
【技術分野】
【０００１】
本発明は、一般に通信システムに関する。具体的に、そのようなシステムにおける干渉軽減を可能にする方法と構成に関する。
【背景技術】
【０００２】
無線基地局の開発の最近の傾向は、モジュールによる設計の方向に努力が払われている。例えば、基地局は、種々の機能を実行する複数の個別のモジュールを含んでいる。従って、システムの更新や拡張は、基地局の中のモジュールを挿入するまたは置換するだけで行うことができる。しかし、個々の機能の数が増してくると、この設計の方法では、複雑さとモジュール間の不必要なシグナリングが増してくる。そのような機能の１つは、ＭＵＤ（マルチユーザ検出）と呼ばれ、他のユーザを一緒に考慮する機能である。ＭＵＤを持つ基地局は、同時に（連続してまたは並行して）、複数のユーザを受信して検出をすることができる。この検出処理をいくつかの検出モジュールに分割するときに問題が生ずる。そのようなシステムの中でのユーザ間の、例えば干渉キャンセル（ＩＣ）と呼ばれるような、干渉軽減機能を効率よく実行できるためには、種々の個別のモジュールが、他のモジュールに割り当てられたユーザから発せられる信号によって生ずる干渉を考慮することができる必要がある。従って、モジュールは、モジュールが持つそれぞれのユーザ接続に関する情報を交換する必要があり、実施の複雑さとコストが上昇する。
【０００３】
論文「Ｓｏｆｔｗａｒｅ  Ｒａｄｉｏ  Ａｒｃｈｉｔｅｃｔｕｒｅｓ  ｆｏｒ  Ｉｎｔｅｒｆｅｒｅｎｃｅ  Ｃａｎｃｅｌｌａｔｉｏｎ  ｉｎ  ＤＳ−ＣＤＭＡ  Ｓｙｓｔｅｍｓ」（Ｉ．Ｓｅｓｋａｒ，Ｍ．Ｄ．Ｍａｎｄａｙａｍ、ＩＥＥＥ  Ｐｅｒｓｏｎａｌ  Ｃｏｍｍｕｎｉｃａｔｉｏｎｓ、１９９９年８月）は示唆に富んでおり、線形マルチユーザ検出のための再構築可能な構成を開示している。この構成は、例えば、整合フィルタ（ＭＦ）、ＳＩＣ（連続干渉キャンセラ、ｓｕｃｃｅｓｓｉｖｅ  ｉｎｔｅｒｆｅｒｅｎｃｅ  ｃａｎｃｅｌｌｅｒ）、ＡＤ（近似デコリレータ、ａｐｐｒｏｘｉｍａｔｅ  ｄｅｃｏｒｒｅｌａｔｏｒ）、ＤＣ（精密デコリレータ、ｅｘａｃｔ  ｄｅｃｏｒｒｅｌａｔｏｒ）、および、最小２乗誤差検出機（ＭＭＳＥ）等の、複数の異なる受信機構成に再構築が可能な動的な受信機を実現することを可能にする。
【発明の開示】
【発明が解決しようとする課題】
【０００４】
本発明の目的は、検出モジュール間の、改善された情報交換機能を持つ無線基地局を提供することである。
【０００５】
別の目的は、無線基地局の種々の検出モジュールへ、改善されたユーザ割り当て機能を提供することである。
【０００６】
さらなる目的は、モジュールにより設計された無線基地局において、干渉軽減機能を提供することである。
【０００７】
さらなる目的は、複数の検出モジュールと複数のユーザを持つ無線基地局において、実施が容易で効率のよい干渉キャンセル機能を提供することである。
【課題を解決するための手段】
【０００８】
この目的は、添付の特許請求の範囲に従って達成される。
【０００９】
簡潔に言えば、本発明は、無線基地局の検出モジュールを少なくとも２つのサブセットに分けて構成するステップを含む。サブセットの内の１つサブセットのユーザ接続の干渉に関する情報は、第２のサブセットに伝えられ、第２のサブセットにおいて第２のサブセットの検出モジュールの入力信号から、干渉を軽減するのに利用される。
【００１０】
さらに、本発明は、情報交換を最小にしながら干渉キャンセルを最適にするために、例えば上記で構成した検出モジュールに対するサービスに基づいてユーザを割り当てるステップに関与する。
【００１１】
本発明の利点は、
柔軟性と
改善されたＩＣおよびその他の干渉軽減可能な受信機および検出機の実現またはそのいずれかを含む。
【００１２】
本発明と、そのさらなる目的と利点とは、添付の図面とともに、以下の説明を参照することにより、よく理解できるであろう。
【００１３】
［略記号］
ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ
ＣＤＭＡ：符号分割多元接続
ＯＦＤＭ：直交周波数分割多重
ＴＤＭＡ：時分割多元接続
ＭＵＤ：マルチユーザ検出
ＩＣ：干渉キャンセル
Ｅ−ＤＰＣＣＨ：拡張専用物理制御チャネル
Ｅ−ＤＰＤＣＨ：拡張専用物理データチャネル
ＳＩＲ：信号対干渉比
【発明を実施するための最良の形態】
【００１４】
本発明はＷＣＤＭＡシステムの状況で説明されるであろうが、干渉軽減が必要なその他の通信方式にも等しく適用可能である。本発明は、本質的に、軽微な変更だけで、ＣＤＭＡ、ＷＣＤＭＡ、ＣＤＭＡ２０００、ＯＦＤＭ、または、ＴＤＭＡのいずれにも適用可能である。その他の適用可能なシステムは、ＦＤＤシステムおよびＴＤＤシステムを含む。
【００１５】
従って、無線基地局という用語は、より一般的な用語の基地局、または、より特定な用語の基地トランシーバ局という用語に置き換えることができる。
【００１６】
ＣＤＭＡ（符号分割多元接続）システムの最初の商用として出されたものは、典型的に、受信信号の中の有効な信号エネルギーを利用するＲＡＫＥ原理を持つ相関受信機を特徴としている。しかし、基地局における、無線リンクとの全ての接続に関する信号についての情報が利用可能であるので、ＭＵＤ（マルチユーザ検出機）にも適用可能である。最適なマルチユーザ検出機は、基本的には接続間の干渉を除去して、全ての接続から最も確からしいデータ系列を出力する。モジュールの設計により生ずる実施の複雑さが予想されることを考慮すると、これは実際に実施する上では魅力的ではない。
【００１７】
その代わり現在では、例えば、ＰＩＣ（並列干渉キャンセル、Ｐａｒａｌｌｅｌ  Ｉｎｔｅｒｆｅｒｅｎｃｅ  Ｃａｃｅｌｌａｔｉｏｎ）やＳＩＣ（連続干渉キャンセル）等の反復手法のような、次善の干渉軽減アルゴリズムが採用される。本質的に、それぞれの接続に対する反復処理は、他の接続からの干渉を差し引いて信号を復号するステップと、受信信号成分を再生するステップとを結びつけて、他の接続を復号している間にそれを差し引くことができるようにするのである。
【００１８】
上記で述べたように、効率の理由から、接続を扱うための基地局信号処理は、いくつかの限定的（ｃｏｎｆｉｎｅｄ）処理ユニットに分離することができる。このことは、それぞれのユーザ接続に対する、再生された信号もしくはそれと等価なものを表す広範囲な情報が、異なる限定的処理ユニットの間で通信されなければならないことを意味する。
【００１９】
従って、モジュールにより設計された無線基地局では、ＭＵＤおよびＩＣが必要であるが、また同時に、希望する設計レベルの情報交換が維持される必要がある。
【００２０】
基本的に、本発明は、例えば、ＷＣＤＭＡのような通信システムにおける干渉を軽減する方向に向けられている。干渉軽減は、例えば、連続してまたは並行してまたはその他で行われる、マルチユーザ検出、最尤検出、最大事後ＭＵＤ（ｍａｘｉｍｕｍ  ＭＵＤ  ａ  ｐｏｓｔｅｒｉｏｒｉ）等の任意の型の干渉キャンセルを含む。簡潔に言えば、ある特定のユーザに対する信号品質を改善するために他のユーザからの干渉を考慮に入れる、いずれの方法も含む。
【００２１】
例えば、干渉キャンセルまたはＭＵＤのような干渉軽減は、ＷＣＤＭＡのような無線セルラネットワークにおいて、理論的には広範囲な効率利得を与える。しかし、上記で述べたように、実効利得は、ソフトウェア（ＳＷ）とハードウェア（ＨＷ）相互の設計によって実際には制限を受ける。従って、現状で考えると、将来の基地局の設計は、異なるモジュールに割り当てられたユーザの干渉キャンセルのために用いることができる相互通信が限定的に行われる、または行われない、いくつかの限定的ユニットまたは検出モジュールに基づいたものになる可能性が強い。
【００２２】
例えば、３ＧＰＰのような特定の場合には、アップリンク構成は、制御とデータの物理専用チャネルが別になっているのが特徴である。すなわち、専用物理制御チャネル（ＤＰＣＣＨ）と専用物理データチャネル（ＤＰＤＣＨ）である。ＤＰＣＣＨおよびＥ−ＤＰＣＣＨ（拡張ＤＰＣＣＨ）またはそのいずれかは、受信の信号対干渉比（ＳＩＲ）を維持するように、常に電力制御されて送信されている。不連続な送信をサポートするために、（Ｅ−）ＤＰＤＣＨ電力は、データレートに依存したオフセット値に決められる。すなわち、（Ｅ−）ＤＰＣＣＨ電力に対するベータファクタである。このオフセット値は、それぞれのアップリンク専用チャネルのトランスポートフォーマット組み合わせに対して決められるか、または、最も高いデータレートのトランスポートフォーマット組み合わせのオフセット値だけが決められて、そして、移動機がそれに従って、他のトランスポートフォーマット組み合わせに対するオフセット値を算出する。インナループ電力制御は、ＳＩＲ目標値に対する相対的な（Ｅ−）ＤＰＣＣＨのＳＩＲ品質を保証する。ＳＩＲ目標値は、アウタループ電力制御の中で感知される（Ｅ−）ＤＰＤＣＨ品質に基づいて調整される。このことは、感知される（Ｅ−）ＤＰＤＣＨ品質は長期にわたり維持されるであろうが、感知される（Ｅ−）ＤＰＣＣＨ品質は、オフセット値、すなわち、ベータファクタに依存するであろうことを意味する。
【００２３】
干渉キャンセル／軽減、およびマルチユーザ検出またはそのいずれかは、通常は、ＤＰＣＣＨのＳＩＲ推定値には影響を与えないが、アウタループ電力制御が基づいているキャンセル後のＤＰＤＣＨ品質には影響を与えるので、オフセット値は予測されるキャンセル効率を反映することが重要である。もし、ＤＰＤＸＨとＤＰＣＣＨの両方に対するＩＣとＭＵＤとを一緒に最適にするアルゴリズム、および、チャネル推定またはそのいずれかが実行されれば、それはＤＰＣＣＨのＳＩＲを考慮に入れるか、または少なくとも部分的に考慮に入れることができることになる。
【００２４】
本発明は、有効で効率のよい最適なあるいは次善の干渉キャンセルまたは軽減、およびマルチユーザ検出またはそのいずれかを、コストが安く複雑さが少ない方法で実行することを可能にする。
【００２５】
基本的に、本発明に従う解決策は、干渉キャンセル／軽減、および、マルチユーザ検出またはそのいずれかの効率の最適化を、種々の限定的処理ユニット（ハードウエアボード）への接続の割り当てのための方針とアルゴリズムの最適化を通して行うことに基づく。これは２つの異なる角度から見ることができる。構成が、干渉キャンセルまたは軽減が可能であるように設計され、それに続いてモジュールへのユーザ割り当てが行われる場合と、または、ユーザ割り当てが最初に決定されて、干渉キャンセルまたは軽減の構成と実施がユーザ割り当て基づいて決定される場合である。
【００２６】
本発明に従った方法と構成を、限定的でない例として、ＷＣＤＭＡ等の通信システムにおける、モジュールを基本とした無線基地局の状況に関して説明を行う。この方法と構成は、ＯＦＤＭＡまたはＴＤＭＡを用いたシステムにも等しく適用することができる。無線基地局は、典型的に、複数の分離した検出モジュールまたは限定的検出モジュールを含み、少なくともその内の１つは、複数のユーザ接続を扱うように適合される。無論のことながら、トラフィック需要とサポートするサービスに依存して、種々の検出モジュールが、種々の数のユーザ接続を扱うように適合されることは可能であるし、またそのような場合はよくあることである。さらに、無線基地局は、種々のモジュール、種々のハードウエア機能、および、種々の検出方式により構成されてもよい。
【００２７】
本発明の方法の基本的な実施形態に従う図１を参照すると、検出モジュールの、少なくとも２つのサブセット１０、２０が、検出モジュールの全体のセット１１、１２、１３、２１、２２、２３の中に形成される。次に、第１のサブセット１０から、少なくとも第２のサブセット２０に対して干渉情報を伝えることができるように、２つのサブセット１０と２０は互いに接続される。これは、２つ以上のサブセットがあってもよいし、サブセットが重なっていてもよいことを意味する。
【００２８】
サブセット１０とサブセット２０は、一方向にだけ情報を伝えることができるように適合されていることが望ましいが、ある意味からすれば一方向インタフェースまたはゲートがある場合には限られないことに注意すべきである。
【００２９】
先の実施形態に従えば、第２のサブセット２０は、少なくとも１つの干渉キャンセルまたは軽減可能な検出モジュール２１を含み、検出モジュールは、その検出モジュールのユーザ接続間の干渉をキャンセルまたは軽減する（または、サブセットＭＵＤを行う、すなわち、限定的検出モジュールの中の全てのユーザの最適復号を行う）ことできる。さらに、検出モジュール２１は、第１のサブセット１０から伝えられる情報を利用して、第１のサブセット１０の検出モジュールのユーザ接続から生ずる干渉を取り除くまたは軽減することができる。
【００３０】
ある特定な実施形態に従えば、干渉情報は、１つの検出モジュールの中の少なくとも１つのユーザ接続から生ずる再生信号の表現を含むことができる。
【００３１】
基本的な実施形態に従う図１を再び参照すると、第２のサブセット２０は、ただ１つの検出モジュール、すなわち、干渉キャンセルまたは軽減可能な検出モジュール２１を含む。しかし、第２のサブセット２０は、図２に示されているように、複数の検出モジュール、特に、干渉キャンセルまたは軽減可能な複数の検出ユニット２１'および２３'、を含むことも等しく可能である。それと対応して、第１のサブセット１０が干渉キャンセルまたは軽減可能かまたは可能でない、ただ１つの検出モジュールを含むことも同様に可能である。または、図３に示されるように、第１のサブセット１０"は、複数の検出モジュール１１"、１２"、１３"を含むことができる。
【００３２】
ある特定な実施形態に従えば、干渉情報を伝えるステップは、第１のサブセットの中の、１つまたはいくつかの検出モジュールから１セットのユーザ接続を選択するさらなるステップと、選択された接続に関する干渉情報を第１のサブセットに伝えるステップとを含む。選択は、全体のアップリンク負荷に対して大きな影響を与えるユーザ、または優先度の高いユーザ、または、いくつかの他の基準によるユーザ、を選択すべく実行することも可能であろう。
【００３３】
さらに、検出モジュールのうちのいくつかは、他の検出モジュールに対して、干渉情報の送受を行うように適合されていないことも等しく可能である。それらの検出モジュールは真に限定的である。従って、無線基地局は、少なくとも検出モジュールの２つのサブセットと、相互接続を持たない複数の検出モジュールと、恐らくは、全ての相互接続を持つ複数の検出モジュールとを含むであろう。
【００３４】
上記で説明した実施形態の重要な視点は、検出モジュールは互いに選択的に接続されるという点である。これは、全ての検出モジュールが、必要であるか否かにかかわらず、全ての干渉情報を交換しあう状況と大きな対比がある。
【００３５】
本発明に従えば、サブセットは複数の手法で構成することができる。すなわち、１つのサブセットが干渉情報を他の全ての検出モジュールに伝えるように構成することができる。また、１つのサブセットは他の１つのサブセットから干渉情報を受けて、その情報を自分の情報をも含めて別のサブセットに、例えば、時系列に転送するように構成することができる。最後に、サブセットは、その干渉情報を１つ以上の特定なサブセットに伝えるように構成することもできる。無線基地局の検出モジュールは、上記で説明した構成の任意の組み合わせで構成することができることは明らかである。従って、無線基地局は、相互接続されていない検出モジュールと、完全に相互接続された検出モジュールと、サブセットが相互接続された検出モジュールと、およびその他の組み合わせを含むことができる。さらに、本発明に従う無線基地局は、本発明によって画定された方法と組み合わせて、任意の数の種々の干渉軽減の方法を用いて構成することができる。最後に、本発明に従う無線基地局は、干渉キャンセルまたは軽減可能な検出モジュール、またはＭＵＤ可能な検出モジュールの、任意の組み合わせを含むように構成することができる。
【００３６】
続いて、最適な、および／または、効率のよい手法で、種々の検出モジュールにユーザを割り当てることが必要である。
【００３７】
ある特定の実施形態に従えば、ユーザ接続は、サービスに基づいて種々の限定的検出モジュールに割り当てられる。
【００３８】
別の特定の実施形態に従えば、同じサービスを受けるユーザは、同じ限定的ユニットに割り当てられる。
【００３９】
一例として、Ｅ−ＤＣＨ（Ｅ−ＤＰＣＣＨおよびＥ−ＤＰＤＣＨ）の全てのユーザは、内部に干渉キャンセルまたは軽減機能を持つ検出モジュールに割り当てられる。従って、高負荷のシナリオに対する容量を備えるために、それぞれの接続に対して適当なベータファクタを設定する必要がある。どのようにして適当なベータファクタを設定するかの例は、いくつかの特定な実施形態の例に関して、下記で議論を行う。
【００４０】
さらに別の特定な実施形態に従えば、ソフトハンドオーバを行う全てのユーザは、最適なカバレッジが保証されなければならないので、内部に干渉キャンセルまたは軽減機能を持つ検出モジュールに割り当てられる。
【００４１】
あるいは、さらに別の実施形態に従えば、限定的ユニットへのユーザ接続の割り当ては組み合わされて、プロセッサの負荷の平準化を行い、また、キャンセルまたは軽減された干渉量とキャンセルまたは軽減されない干渉量との間の一定の部分を保持する。このことは、汎用のオフセットパラメータまたはベータファクタの設定を用いることができることを意味する。
【００４２】
他の実施形態では、厳しい干渉を与えるユーザを、内部に干渉キャンセルまたは軽減機能を持つ検出モジュールに割り当てるステップと、この検出モジュールに優先度の高いユーザを割り当てるステップを含む。
【００４３】
ある特定の例では、限定的ユニットはＥ−ＤＣＨユーザを検出し、そのユニットの中で干渉キャンセルまたは軽減を行い、これらの信号は再生されて他の限定的ユニットで干渉キャンセルまたは軽減が行われる。
【００４４】
干渉キャンセルまたは軽減は、限定的ユニットの中で実行され、それぞれの限定的ユニットから選択された接続に対応する信号は、再生されてその他の限定的ユニットへの入力からキャンセルが行われる。
【００４５】
良好なカバレッジを保証するため、ソフトハンドオーバを行うユーザは干渉キャンセルを持つ限定的ユニットに割り当てる。
【００４６】
１セットのＤＰＤＣＨまたはＥ−ＤＰＤＣＨオフセットパラメータは、特定の限定的ユニットのユーザ割り当てに対応するように事前に決めることができる。割り当てと再割り当ては、妥当と思われるパラメータ設定に対応した構成へと導くことができる。このように、それぞれのオフセットパラメータ設定は、好ましい動作条件に対応している。
【００４７】
初期の割り当てに対して説明された全てが、再割り当てが妥当と思われるシステムにも適用可能である。
【００４８】
あるオフセットパラメータ設定に関連する割り当てに対しての説明の全てが、割り当てが変化しそれに従ってオフセットパラメータが変化するシステムにも適用される。
【００４９】
［事例］
＜限定的ユニット内部でのＥ−ＤＣＨ干渉キャンセル＞
Ｅ−ＤＣＨを増進することが望まれる設定においては、少なくとも、Ｅ−ＤＣＨ接続間でのＥ−ＤＣＨ干渉を互いにキャンセルまたは軽減することが適当である。従って、Ｅ−ＤＣＨは、相互干渉キャンセルまたは軽減機能を持つ限定的検出ユニット（恐らくは、唯一の干渉キャンセルまたは軽減可能な限定的ユニット）に割り当てなければならない。従って、次なる課題は、適切なベータファクタを設定することである。
【００５０】
ＩＣがない場合には、Ｅ−ＤＰＣＣＨは、Ｅc／Ｉ0として、少なくともγ0という値を持つべきである。Ｅ−ＤＰＤＣＨのＥc／Ｉ0として、Δ・γ0という値がＥ−ＤＰＤＣＨの最大レートに対して十分であると仮定する。すると、ベータファクタは、βd2／βc2＝Δである。図６の説明図参照のこと。
【００５１】
限定的ユニットの中で干渉キャンセルを行う場合には、Ｅ−ＤＣＨが基地局のアップリンク干渉に対してどの程度支配的になるかに関してある限界がある、すなわち、最大のＥ−ＤＣＨの寄与ＩE＝ＡＩtotは全アップリンク干渉に関係すると仮定する。さらに、この負荷状況でのＲＩＦ（残余干渉ファクタ、ｒｅｓｉｄｕａｌ  ｉｎｔｅｒｆｅｒｅｎｃｅ  ｆａｃｔｏｒ）（すなわち、ＩＣがキャンセルできない干渉の部分で、εで示される）は、知られている、または推定されると仮定する。従って、Ｅ−ＤＰＤＣＨの要求条件は、次式のように書ける。
【００５２】
【数１】
2010506430.tif 000003
【００５３】
ここに、ｐcは、ＤＰＣＣＨの受信信号電力である。このことは、ベータファクタは、次式で示されるように設定されるべきであることを意味する。
【００５４】
βd2／βc2＝Δ［１−Ａ（１−ε）］
このことは、この場合のベータファクタ比は、Ｅ−ＤＣＨのために用意される負荷と干渉キャンセル動作の期待値との関数であることを意味する。アップリンク資源のより大きい部分（より大きいＡ）を割り当てるためには、より小さなベータファクタ比が必要であり、またその逆も同様である。同様に、より良好なキャンセル動作（より小さいε）にはまた、より小さなベータファクタ比が必要であり、またその逆も同様である。より低い負荷の場合には、これは、必要なＤＰＣＣＨよりも高い値を与えるであろうが、負荷はいずれにしても低いので、このことは決定的な失費にはならない。負荷が高くなれば、それだけＤＰＣＣＨレベルは正確になる。
【００５５】
一般的に、このことは、推奨される設定方針は、Ｅ−ＤＣＨユーザを相互キャンセルまたは軽減機能を持つ限定的ユニットに割り当て、高い負荷の場合を満足するようにベータファクタを設定することである、ということを意味する。
【００５６】
さらに、セルが干渉をキャンセルできるかどうかによってベータファクタ設定を更新するようにすることが可能である。このことは、設定は移動度によって更新される必要があることを意味する。例えば、現在の１人のユーザがハンドオーバを実行し無線基地局から離れる、別のユーザはハンドオーバを実行し無線基地局から離れる、そして、また別のユーザはハンドオーバを実行し無線基地局へ接続する、等である。
【００５７】
＜２つの孤立した限定的ユニットの中でのＥ−ＤＣＨ干渉キャンセル＞
この場合は、干渉のキャンセルはそれぞれのユニットの中で行われるが、ユニット間でのシグナリングの伝送は行われない。また、特に２つのユニットが、ユニット間の負荷を平準化するようにユーザが割り当てられる場合には、このシナリオは、事前に算出されたベータファクタに関連づけることもできるであろう。
【００５８】
＜限定的ユニット割り当てに基づいた適応アップリンク構成＞
ＲＲＣシグナリングの現行３ＧＰＰ標準では、頻度の高いリンク（再）設定を行うようにすることはあまりにも高いコストがかかるとしても、将来の展開、および、将来のシステムまたはそのいずれかは、ＤＰＤＣＨ−ＤＰＣＣＨオフセットへの対応をよりしばしば更新する可能性によって特徴づけることができるかもしれない。そのような場合には、限定的ユニット割り当てがアップリンク設定の更新を起動することになる。
【００５９】
ベータファクタの設定と電力の割り当ては、複数の異なる手法によって実行することができるであろう。ある特定のサービス設定を考慮すると、特定の実施形態に従えば、ベータファクタは、そのようなサービスへの資源の割り当てと干渉軽減またはキャンセル動作の期待値との関数として構成することができる。従って、資源の割り当て部分が、基準設定に比較して減少するか増大するかによって、物理データ相対制御チャネルに、基準設定に比較してより高い電力またはより低い電力を割り当てることができる。同様に、干渉キャンセル動作が基準設定と比較して悪いか良いかによって、より高い電力またはより低い電力を割り当てることができる。
【００６０】
これまでに説明した干渉軽減と割り当てに適した、本発明に従う基地局を、図４と図５とを参照して以下で説明する。
【００６１】
それに従えば、無線基地局が必要であり、無線基地局は、上記で述べた方法、および、実施形態、および、実施形態および実施形態の特徴またはそのいずれかの組み合わせ、またはそれらのいずれかを扱うように構成される。
【００６２】
本発明に従う無線基地局ＲＢＳは、基本的に、入力／出力ユニットＩ／Ｏ、検出モジュールの少なくとも２つのサブセット４０、５０の中に配置された複数の検出モジュール３０、３１、３２を含む。第１のサブセット４０は、複数の検出モジュール３０、３１を含む。第２のサブセット５０は、干渉キャンセルまたは軽減可能な少なくとも１つの検出モジュール３２を含む。第１のサブセット４０の検出モジュールが、それらそれぞれの接続に関する干渉情報を第２のサブセット５０に伝えることができるように、２つのサブセット４０、５０は互いに接続される。それにより、第２のサブセット５０の、干渉キャンセルまたは軽減可能な検出モジュールは、第１のサブセット４０のユーザ接続の中で生ずる干渉をキャンセルするように設定される。
【００６３】
先に述べたように、干渉キャンセルまたは軽減可能な検出モジュールは、その接続間の干渉を互いにキャンセルし、さらに、一方向インタフェースを介して受信した干渉情報に基づいて他の接続からの干渉をキャンセルするように設定される。
【００６４】
さらに、無線基地局は、ユーザを種々の検出モジュールに割り当てるために、少なくとも１つの割り当てユニット６０を含む。あるいは、割り当てユニット６０は、いくつかの他のシステムノード、すなわち、無線基地局の中の無線ネットワーク制御装置または制御処理ユニット、からの割り当て情報を受信するように適合される。または、割り当てユニット６０は、どのようにユーザを割り当てるかを自分で決める。別の代替案では、無線基地局の中に所定の割り当てスケジュールを持っている。
【００６５】
図７を参照すると、本発明の種々の実施形態に従う方法と構成は、組み合わされて任意の順序で用いることが可能である。言い換えれば、検出モジュール間の接続構成は、要求されるユーザ割り当て、および、要求される干渉軽減の方法またはそのいずれかに基づくことが可能である。あるいは、干渉軽減とユーザ割り当ては、検出モジュール間の現行の接続構成に基づいて実行することが可能である。または、この方法は、システムの中における現在の負荷に基づいて適応的に実行することが可能である。共通の概念は、モジュール間の接続構成、種々の検出モジュールへのユーザ接続の割り当て、および、干渉キャンセルの実施は、統合的に設定され、基地局の動作を最適化することである。その中でのステップを実行する順序の重要性は２次的なものである。
【００６６】
割り当てに関する上記の全ての説明は、再割り当てのシナリオにも適用可能である。
【００６７】
本発明の方法と構成は、ハードウェア設計、または、ソフトウェア設計、または、それらの組み合わせを用いて実施することができる。
【００６８】
本発明の利点は、
柔軟性と、
改良された干渉キャンセルまたは軽減、またはＭＵＤが可能な受信機または検出機と
を含む。
【００６９】
本発明の種々の変形と変更は、添付の特許請求の範囲によって画定された本発明の範囲から逸脱せずに行うことが可能であることは当業者によって理解されるであろう。
【図面の簡単な説明】
【００７０】
【図１】本発明の方法の基本的な実施形態を示す図である。
【図２】本発明の別の実施形態を示す図である。
【図３】本発明の別の実施形態を示す図である。
【図４】本発明に従った無線基地局の基本的な実施形態を示す図である。
【図５】本発明が利用されるシステムの概観を示す図である。
【図６】本発明に従った一例を示す図である。
【図７】本発明の種々の視点の概観を示す図である。
【図１】
2010506430.tif 000004
【図２】
2010506430.tif 000005
【図３】
2010506430.tif 000006
【図４】
2010506430.tif 000007
【図５】
2010506430.tif 000008
【図６】
2010506430.tif 000009
【図７】
2010506430.tif 000010
【手続補正書】
【提出日】平成19年8月14日(2007.8.14)
【手続補正１】
【補正対象書類名】特許請求の範囲
【補正対象項目名】請求項１
【補正方法】変更
【補正の内容】
【請求項１】
通信方式におけるマルチユーザ検出可能な無線基地局の中の干渉軽減の方法であって、前記無線基地局はモジュール式に配置されて１セットの限定的（ｃｏｎｆｉｎｅｄ）検出モジュールを含み、少なくともそれら限定的検出モジュールの内の１つは複数のユーザ接続を扱うことが可能であり、
前記方法は、
検出モジュールの第１のサブセット（１０）を前記セットから形成するステップと、
検出モジュールの少なくとも第２のサブセット（２０）を前記セットから形成するステップであって、前記第２のセットは、少なくとも１つの干渉軽減可能な検出モジュール（２１）を含むステップと、
前記第１のサブセット（１０）のそれぞれのユーザ接続に関する干渉情報を、前記第１のサブセットから前記第２のサブセット（２０）に伝えるステップと、
前記第１のサブセット（１０）の前記ユーザ接続の中で生ずる干渉を、前記第２のサブセット（２０）のユーザ接続から軽減するステップと、
前記少なくとも１つの干渉キャンセル可能な検出モジュールの中で、接続間または接続のサブセットの間の干渉を相互に軽減するステップと
を有することを特徴とする方法。
【手続補正２】
【補正対象書類名】特許請求の範囲
【補正対象項目名】請求項２６
【補正方法】変更
【補正の内容】
【請求項２６】
１セットの限定的検出モジュールを含む、モジュール式に配置された無線基地局であって、前記検出モジュールの少なくとも１つは複数のユーザ接続を扱うことができ、
前記無線基地局は、
検出モジュールの第１のサブセット（４０）と、
干渉軽減可能な少なくとも１つの検出モジュールを含む、検出モジュールの少なくとも第２のサブセット（５０）と
を備え、
検出モジュールの前記第１のサブセット（４０）は、そのそれぞれのユーザ接続に関する干渉情報を前記第２のサブセット（５０）に伝え、
前記少なくとも１つの干渉軽減可能な検出モジュールは、前記第１のサブセットのユーザ接続の中で生ずる干渉を、前記第２のサブセットのユーザ接続から軽減し、
前記少なくとも１つの干渉軽減可能な検出モジュールは、前記少なくとも１つの干渉軽減可能な検出モジュールの中の、接続間の干渉または接続のサブセットの干渉を相互に軽減することを特徴とする無線基地局。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
通信システムにおけるマルチユーザ検出可能な無線基地局の中の干渉軽減の方法であって、前記無線基地局はモジュール式に配置されて１セットの限定的（ｃｏｎｆｉｎｅｄ）検出モジュールを含み、少なくともそれら限定的検出モジュールの内の１つは複数のユーザ接続を扱うことが可能であり、
前記方法は、
検出モジュールの第１のサブセット（１０）を前記セットから形成するステップと、
検出モジュールの少なくとも第２のサブセット（２０）を前記セットから形成するステップであって、前記第２のセットは、少なくとも１つの干渉軽減可能な検出モジュール（２１）を含むステップと、
前記第１のサブセット（１０）のそれぞれのユーザ接続に関する干渉情報を、前記第１のサブセットから前記第２のサブセット（２０）に伝えるステップと、
前記第１のサブセット（１０）の前記ユーザ接続の中で生ずる干渉を、前記第２のサブセット（２０）のユーザ接続から軽減するステップと、
前記少なくとも１つの干渉キャンセル可能な検出モジュールの中で、接続間または接続のサブセットの間の干渉を相互に軽減するステップと
を有することを特徴とする方法。
【請求項２】
前記干渉軽減は、干渉キャンセルを含むことを特徴とする請求項１に記載の方法。
【請求項３】
前記干渉軽減は、サブセット結合（ｊｏｉｎｔ）マルチユーザ検出を含むことを特徴とする請求項１に記載の方法。
【請求項４】
前記干渉軽減は、種々の限定的検出ユニットの中に、または１つの限定的検出ユニットの中に、干渉キャンセル、および、サブセット結合マルチユーザ検出、または、それらの組み合わせを含むことを特徴とする請求項１に記載の方法。
【請求項５】
前記干渉情報は、前記第１のサブセットの接続の中で生ずる再生信号の表現を含むことを特徴とする請求項１乃至請求項４のいずれか一項に記載の方法。
【請求項６】
前記第１のサブセットは、少なくとも１つの限定的検出モジュールを含むことを特徴とする請求項１乃至請求項５のいずれか一項に記載の方法。
【請求項７】
前記第１のサブセットは、複数の限定的検出モジュールを含むことを特徴とする請求項１乃至請求項５のいずれか一項に記載の方法。
【請求項８】
前記第１のサブセットは、少なくとも１つの干渉軽減可能な限定的検出モジュールを含むことを特徴とする請求項１乃至請求項７のいずれか一項に記載の方法。
【請求項９】
前記第２のサブセットは、ただ１つの限定的検出モジュールを含むことを特徴とする請求項１乃至請求項８のいずれか一項に記載の方法。
【請求項１０】
前記第２のサブセットは、複数の限定的検出モジュールを含むことを特徴とする請求項１乃至請求項８のいずれか一項に記載の方法。
【請求項１１】
前記複数の検出モジュールは、複数の干渉軽減可能な検出モジュールを含むことを特徴とする請求項１０に記載の方法。
【請求項１２】
検出モジュールの前記セットは、それぞれが異なった数のユーザ接続を扱うことができる複数の検出モジュールを含むことを特徴とする請求項１乃至請求項１１のいずれか一項に記載の方法。
【請求項１３】
検出モジュールの前記セットは、互いに分離し、かつ前記第１のサブセットおよび前記少なくとも第２のサブセットから分離した限定的検出モジュールを含む、検出モジュールの少なくとも第３のサブセットを含むことを特徴とする請求項１乃至請求項１２のいずれか一項に記載の方法。
【請求項１４】
前記少なくとも第３のサブセットは、少なくとも１つの干渉軽減可能な検出モジュールを含むことを特徴とする請求項１３に記載の方法。
【請求項１５】
干渉情報を伝える前記ステップはさらに、
前記第１のサブセットの少なくとも１つの検出モジュールから１セットのユーザ接続を選択するステップと、
それぞれの干渉情報を前記第２のサブセットに伝えるステップと
を含むことを特徴とする請求項１乃至請求項１４のいずれか一項に記載の方法。
【請求項１６】
前記第１のサブセットのそれぞれの検出モジュールからユーザ接続の前記セットを選択するステップを特徴とする請求項１５に記載の方法。
【請求項１７】
ユーザ接続の前記セットは、全アップリンク負荷に対して大きな影響を持つユーザ接続を含むことを特徴とする請求項１５または請求項１６に記載の方法。
【請求項１８】
ユーザ接続の前記セットは、高い優先度を持つユーザ接続を含むことを特徴とする請求項１５乃至請求項１７のいずれか一項に記載の方法。
【請求項１９】
検出モジュールの前記セットにユーザ接続を、サービスに基づいて割り当てるステップを特徴とする請求項１乃至請求項１８のいずれか一項に記載の方法。
【請求項２０】
良好なカバレッジを保証するために、ソフトハンドオーバのユーザを、前記第２のサブセットの干渉軽減可能な検出モジュールに割り当てるステップを特徴とする請求項１９に記載の方法。
【請求項２１】
同じサービスのユーザを同じ検出モジュールに割り当てるステップを特徴とする請求項１９に記載の方法。
【請求項２２】
前記検出モジュールの負荷を平準化するために同じサービスのユーザを異なる検出モジュールに割り当てるステップを特徴とする請求項１９に記載の方法。
【請求項２３】
全てのＥ−ＤＣＨユーザ接続を干渉軽減可能な検出モジュールに割り当てるステップを特徴とする請求項１９に記載の方法。
【請求項２４】
高い負荷の場合に対する容量を提供するために、それぞれの接続に対するベータファクタを設定し、
前記ベータファクタは、データレートに依存するＥ−ＤＣＨチャネルの電力オフセット値を含むことを特徴とする請求項２３に記載の方法。
【請求項２５】
１セットの限定的検出モジュールを含む、モジュール式に配置された無線基地局であって、前記検出モジュールの少なくとも１つは複数のユーザ接続を扱うことができ、
前記無線基地局は、
検出モジュールの第１のサブセット（４０）と、
干渉軽減可能な少なくとも１つの検出モジュールを含む、検出モジュールの少なくとも第２のサブセット（５０）と
を備え、
検出モジュールの前記第１のサブセット（４０）は、そのそれぞれのユーザ接続に関する干渉情報を前記第２のサブセット（５０）に伝え、
前記少なくとも１つの干渉軽減可能な検出モジュールは、前記第１のサブセットのユーザ接続の中で生ずる干渉を、前記第２のサブセットのユーザ接続から軽減し、
前記少なくとも１つの干渉軽減可能な検出モジュールは、前記少なくとも１つの干渉軽減可能な検出モジュールの中の、接続間の干渉または接続のサブセットの干渉を相互に軽減することを特徴とする無線基地局。
【請求項２６】
検出モジュールの前記第１のサブセット（４０）は、それらのユーザ接続情報の少なくとも一部を、前記検出モジュールの前記少なくとも第２のサブセット（５０）に送ることを特徴とする請求項２５に記載の無線基地局。
【請求項２７】
前記第１のサブセット（４０）は、そのユーザ接続の選択されたセットに対するユーザ接続情報を、前記少なくとも第２のサブセット（５０）に送ることを特徴とする請求項２５乃至請求項２６のいずれか一項に記載の無線基地局。
【国際調査報告】
2010506430.tif 000011
2010506430.tif 000012
2010506430.tif 000013
2010506430.tif 000014
2010506430.tif 000015